(57)【特許請求の範囲】
【請求項１】
リバーシブルのオープンファスナにより開閉される収納袋と、
収納袋に固定され、前記オープンファスナの終始端部から延びるベルトとを有する貴重品入れ。
【請求項２】
前記収容袋は、素材の異なる表地と裏地を合わせて形成される請求項１記載の貴重品入れ。
【請求項３】
前記表地と裏地のそれぞれに形成された縫い代が該表地と裏地との間に配置される請求項２記載の貴重品入れ。
【請求項４】
前記収納袋は略シート状に形成されて上端縁にオープンファスナが配置される請求項１ないし３のいずれかに記載の貴重品入れ。
【発明の詳細な説明】
【技術分野】
【０００１】
本発明は貴重品入れに関するものである。
【背景技術】
【０００２】
パスポートや金銭等の貴重品を旅行時などに携帯するための貴重品入れとしては、従来、特許文献１に記載のものが知られている。この従来例において貴重品入れには、首に掛けるためにループ状にされた紐と、開閉のためのファスナとが設けられる。
【０００３】
上記紐は、袋状の本体に設けられた穴に通してループ状にされることで貴重品入れに一体にされる。また、上記ファスナは、当該文献の第１図に示すように、鞄などにおいて多用されるもの、すなわち、表面側からのみスライダを操作可能で、また、開く操作をしたときにスライダを下止により始端に止めて左右のエレメントが完全に離れないようにするものと思われる。
【特許文献１】実開昭６２-１５０９２４号公報
【発明の開示】
【発明が解決しようとする課題】
【０００４】
ところで、この種の貴重品入れは、上着の下に隠すように身に付けられる時のみならず、周囲の状況に応じて、どこかに置き忘れない程度に上着の上から身に付けられる場合もあり、このような使い方の場合、デザイン性が強く求められる。このデザイン性は、貴重品入れの表面に模様を施したり、その生地、あるいは表地を選定したりすることにより備えることが可能であるが、利用者の様々な嗜好に応じるには異なる表面模様や生地等を備えたものを多種類用意しなければならず、量産性が悪くなるという問題がある。
【０００５】
また、上述したように上着の下、例えば肌に触れるように身に付けられるようないわゆるインナータイプと呼ばれるものの場合には、肌触りの良い素材を生地、あるいは表地に用いる必要があり、反対にアウタータイプと呼ばれるものの場合には、強度を高めるために比較的しっかりした生地等を用いる必要がある。このため従来においては、用いられる生地等の違いに応じ、インナータイプとアウタータイプとが別個に用意されており、この場合にも量産性が悪くなるいという問題がある。
【０００６】
以上の量産性は、貴重品入れをリバーシブルにすることで改善することが可能であるが、上述した従来例のような構造の場合、裏返しにしてしまうとスライダを操作できなくなってしまう。また、紐が裏側でむき出しになっているならば、裏返しにした後で紐を引っ張り出せば使用上はあまり差し支えないが、この場合にも、紐を引き出す操作が必要になるために手間がかかるという欠点がある。
【０００７】
本発明は、以上の欠点を解消すべくなされたものであって、量産性に優れ、かつ、反転操作性の良好な貴重品入れの提供を目的とする。
【課題を解決するための手段】
【０００８】
本発明によれば上記目的は、
リバーシブルのオープンファスナ１により開閉される収納袋２と、
収納袋２に固定され、前記オープンファスナ１の終始端部から延びるベルト３とを有する貴重品入れを提供することにより達成される。
【０００９】
本発明によれば、貴重品は、収納袋２に収納され、該収納袋２に固定されるベルト３を用いることによって容易に携帯することができる。また、ファスナ１を用いた開閉操作によって貴重品を収納袋２に確実に収納したり、取り出したりすることができる。
【００１０】
収納袋２に固定されたベルト３はファスナ１の終始端部から延びており、予めループ状にされ、あるいは結ぶなどしてループ状にすることで、首から掛けたり、腰に巻いたりなどすることができる。ベルト３の収納袋２への固定は、ナス環を用いて着脱自在にすることも可能であるが、収納袋２への縫い付けによれば、嵩張ることもなく、製造コストも抑えることができる。
【００１１】
また、上記ファスナ１にはリバーシブルのものが用いられる。すなわち、ファスナ１のスライダには裏面側にまで及ぶ回転レールが設けられ、裏返しにしても引手を裏面側に回すことにより操作することができる。また、このようなリバーシブルのスライダとして、表裏それぞれに引手を備えるものを用いることも可能である。
【００１２】
さらに、上述したファスナ１としてジャンパーの前立てなどにおいて多用されるオープンファスナ１を用いる本発明において、収納袋２を開く操作をした時にはオープンファスナ１の終始端部から延びるベルト３を収納袋２の開口部に露出させることができ、これにより反転操作を容易に行うことができる。すなわち、ベルト３は、ファスナ１などの開閉手段の閉塞によって閉塞されないように収納袋２に固定され、収納袋２から延びる必要があるところ、収納袋２の開口のほぼ全域に閉塞手段を形成してしまうと、開口をくぐらせるように裏返したときには、表裏いずれかにおいて閉塞手段に閉塞される位置、露出できない位置をとることになってしまう。これに対し本発明は、開く操作をした時に左右のエレメントを完全に分離させることができるオープンファスナ１を採用することにより、ベルト３を開口に露出させることができ、この状態で開口をくぐらせるように収納袋２を裏返すだけで、裏返し後にも開いたオープンファスナ１の周始端部などにベルト３がそのまま配置され、裏返し前と同じ状態を維持することができる。
【００１３】
したがって本発明によれば、リバーシブルにして生地の表裏、あるいは表地と裏地のそれぞれを活用できるようにすることにより、デザイン性、アウター・インナーの使い分けに応えて量産性を高めることができる。また、使い勝手を維持した収納袋２の裏返しをオープンファスナ１を開き、裏返すという一連の簡単な動作だけで行うことができる。
【００１４】
また、上述した収納袋２について素材の異なる表地４と裏地５を合わせて形成すれば、デザイン性等の要求に応え、かつ、量産性を高めた貴重品入れを提供することができる。さらに、旅行先であっても状況に応じてデザインやインナー・アウターの使い分けをすることが可能になる。
【００１５】
この場合において、表地４と裏地５のそれぞれに形成された縫い代６を該表地４と裏地５との間に配置すれば、表裏いずれにしたときにも縫い代６が露出することがなく、デザイン性を良好にでき、肌に触れるような使い方をしてもあまり不快感を与えることがない。
【００１６】
さらに、上述したようにリバーシブルにした場合、そのまま身に付けてしまうと収納袋２の身体の正面・背面に対する向きが反転時に逆になってしまい、使い勝手が悪くなってしまう場合があるが、略シート状の収納袋２の上端縁にファスナ１を配置すれば、身体に付ける向きを変えるように裏返してもファスナ１は操作可能な上端縁に変わらず維持されることから、その操作性を良好に保つことができる。
【発明の効果】
【００１７】
以上の説明から明らかなように、本発明によれば、量産性に優れ、かつ、反転操作性の良好な貴重品入れを提供することができ、安全で楽しい旅行をすることができる。
【発明を実施するための最良の形態】
【００１８】
図１ないし図５に本発明の実施の形態を示す。この実施の形態は、図１（ａ）に示すように首１０から下げることにより身に付けられる貴重品入れを示すもので、貴重品入れは、図１（ｂ）に示すように、貴重品１１を収納する収納袋２と、収納袋２を開閉するファスナ１と、収納袋２を首１０から下げるためのベルト３とを有する。
【００１９】
図１ないし図３に示すように、収納袋２は、パスポートよりもひとまわり大きい程度の矩形形状の略シート状からなる袋物であり、表地４と裏地５を合わせて形成される。表地４は適宜の強度を備えた合成繊維等からなり、その表面には図示省略の色柄が施される。また、裏地５は表地４の地色と同じような色で、いわゆる吸放湿機能素材からなる。図１（ａ）等において１２はポケットであり、表地４の表面にパスポートよりもやや小さい程度の大きさの表地４と同じ生地を重ね、その周縁を縫い合わせて色柄の統一感を乱さないように配慮される。
【００２０】
ファスナ１は、図２に示すように、開く操作によって左右のテープ１ａ、１ａが完全に分離できるオープンファスナ１であり、上述した収納袋２の開口２ａの対向周縁に左右のテープ１ａ、１ａを縫い付けて収納袋２に取り付けられる。開く操作によって左右のテープ１ａ、１ａを分離できるように、ファスナ１の始端には収納袋２の開口２ａの周縁に対してテープ１ａが縫い付けられない部分が残され、また、エレメント１ｂ、１ｂが収納袋２の開口２ａ内方にテープの幅寸法分飛び出し、ファスナ１の箱１ｃに対して蝶棒１ｄを出し入れできるようにされる。
【００２１】
このオープンファスナ１はリバーシブルタイプであり、図２（ｄ）に示すように、スライダ１３には表裏に連続する回転レール１３ａが設けられ、この回転レール１３ａに一端部を係止される引手１３ｂを同図において実線で示す位置から２点鎖線で示す位置まで移動させることができる。
【００２２】
ベルト３は、ナイロン等適宜の強度を備えた細幅の帯状のもので、ファスナ１の周始端部における収納袋２の開口２ａ周縁に縫い付けられてループ状にされる。このベルト３は、図１（ｂ）に示すように、日の字形状のコキ３ａと口の字形状のコキ３ｂとを介して長さ調整自在にされる。
【００２３】
以上の貴重品１１入れの製造方法を以下に説明する。先ず、収納袋２は、パスポートを縦に繋ぎ合わせた程度の大きさの短冊状にされた表地４や裏地５の生地を縦に折り曲げてパスポート大にし、両側縁を縫い合わせて一辺縁を開き口とする袋状にする。この後、中表にした裏地５の袋の外側に対して外表にした表地４の袋を被せるように配置し、表地４と裏地５のそれぞれの開き口周縁を全周に渡って縫い付けることでリバーシブルに製作される。なお、図４において１４は縫い付け部分を示す。
【００２４】
上述の縫製の際、生地を中表にして縫うことで図４（ａ）に示すように表地４と裏地５のそれぞれの縫い代６が外から見えないようにされる。また、表地４の袋と裏地５袋は、折り曲げられる端縁の両端、すなわち底の角部分同士が縫い付けられて裏返しにしたときにずれないようにされる。なお、表地４と裏地５の開き口周縁の縫い付けに際しては、開き口端縁を内方にそれぞれ折り返しておくことでほつれにくくすることができる。
【００２５】
また、図４（ａ）に示すように縫い代６を割るいわゆる割り縫いを施すこの実施の形態において、ポケット１２は、例えば表地４を袋状にする縫い代６に挟むようにして共縫いされることで両側縁が止められる。このポケット１２の底縁は、図５（ａ）に示すように、縫い代１２ａを内方に折り返して外から見えないようにして袋状の表地４に対して縫い付けられる。
【００２６】
また、ファスナ１およびベルト３両端部の収納袋２への固定は、上述した表地４と裏地５のそれぞれの開き口周縁の縫い付けの際に、ファスナ１やベルト３を表地４と裏地５の間に挟むようにして共縫いすることでなされる。
【００２７】
以上のようにして製作された貴重品１１入れは、図１（ａ）に示すように、ベルト３によって首１０から下げた状態で一方の手１５で収納袋２を押さえることにより、収納される貴重品１１を開口部１６から出し入れすることができ、ファスナ１を開閉することができる。
【００２８】
上述したように収納袋２の開口２ａの周縁に対してテープ１ａが縫い付けられない部分等について、ファスナ１を開く操作によって左右のテープ１ａ、１ａを分離できる程度に少なく抑えることにより、図２（ａ）に示すように、ファスナ１を閉じたときに収納袋２をほぼ閉塞することができる。また、引手１３ｂを持ってファスナ１を開く方向に単に移動させれば、図２（ｂ）に示すように開いた状態で妄りに左右のテープ１ａ、１ａが完全に分離してしまうことはない。
【００２９】
収納袋２を裏返したいときには、図２（ｂ）に示すようにスライダ１３が箱１ｃにくっついた状態から、蝶棒１ｄが形成される側のテープ１ａ’を引っ張り、蝶棒１ｄを箱１ｃから引き抜けばよく、これにより図２（ｃ）に示すようにベルト３の一方の端部３ｃと開口部１６との間からスライダ１３や箱１ｃが逃げ、当該一方の端部が収納袋２の開口部１６に臨むようになる。この状態で開口部１６をくぐるように収納袋２を裏返せば、図５に示すように、ベルト３は開口部１６周りの位置を維持する。この後、蝶棒１ｄを箱１ｃに入れ直せば、スライダ１３を操作することで裏返しになった収納袋２を同じように開閉することができる。
【００３０】
なお、以上の実施の形態においては、ベルト３の固定端を表地４と裏地５との間であって開口２ａに臨む位置に配置する場合を示したが、例えば、開口２ａからやや離れた表地４表面に配置することも可能で、この場合、裏返したときには、ベルト３を収納袋２内方から閉じたファスナ１と開口２ａとの隙間、すなわち開口２ａの周縁に対してテープ１ａ、１ａ’が縫い付けられていない部分を利用して収納袋２外方に延ばすことができる。
【図面の簡単な説明】
【００３１】
【図１】本発明を示す図で、（ａ）は使用状態を示す図、（ｂ）は全体図で、平面図である。
【図２】ファスナを説明する図で、（ａ）は図１（ｂ）における２Ａ-２Ａ線断面図、（ｂ）は通常使用時における開いた状態を示す図、（ｃ）は裏返し操作時における開いた状態を示す図、（ｄ）はスライダの側面図である。
【図３】収納袋を説明する図で、裏返し操作時における開いた状態を表し、一部を破断した図である。
【図４】収納袋の縫製を説明する図で、（ａ）は図３の４Ａ-４Ａ線断面図、（ｂ）は図３の４ｂ部分の部分拡大図、（ｃ）は図３の４ｃ部分の部分拡大図である。
【図５】裏返し操作を説明する図で、（ａ）は図２（ｃ）の５Ａ-５Ａ線端断面図、（ｂ）は図２（ｃ）の５Ｂ-５Ｂ線端断面図である。
【符号の説明】
【００３２】
１  オープンファスナ
２  収納袋
３  ベルト
４  表地
５  裏地
【図１】
0005149047.tif 000002
【図２】
0005149047.tif 000003
【図３】
0005149047.tif 000004
【図４】
0005149047.tif 000005
【図５】
0005149047.tif 000006